(57)【要約】【課題】複数のセルが同じセル識別子を使用する状況において、これら複数のセルを無線端末において区別できるようにする。【解決手段】無線端末（３）は、ライセンス周波数で運用されるプライマリセルと非ライセンス周波数で運用されるセカンダリセルとを使用するLicensed Assisted Access（LAA）を実行する。無線端末（３）は、さらに、セカンダリセルのサブフレームに関するオフセット値を受信し、プライマリセルのサブフレームのタイミングとオフセット値とに基づいて、セカンダリセルにおいてReference Signal Received Power（RSRP）及びReference Signal Received Quality（RSRQ）測定を行う。【選択図】図２
2019220987.tif 000002
【特許請求の範囲】
【請求項１】
メモリと、
前記メモリに結合され、プライマリセルと非ライセンス周波数で運用されるセカンダリセルとを使用するLicensed Assisted Access（LAA）を実行するプロセッサとを有し、
前記プロセッサは、
前記セカンダリセルのサブフレームに関するオフセット値を受信し、
前記プライマリセルのサブフレームのタイミングと、前記オフセット値とに基づいて、前記非ライセンス周波数の前記セカンダリセルにおいてReference Signal Received Power（RSRP）及びReference Signal Received Quality（RSRQ）測定を行う、
無線端末。
【請求項２】
前記セカンダリセルのフレームタイミングは、前記プライマリセルのフレームタイミングと揃っている、請求項１に記載の無線端末。
【請求項３】
前記セカンダリセルのフレームタイミングは、前記プライマリセルのフレームタイミングに対して前記オフセット値以内に納まる、又は前記オフセット値以内に納まらない、請求項１に記載の無線端末。
【請求項４】
前記プロセッサは、さらに、前記オフセット値を前記プライマリセルの無線局又は前記プライマリセルとは異なるサービングセルの無線局から受信するよう構成されている、請求項３に記載の無線端末。
【請求項５】
無線局であって、
メモリと、
前記メモリに結合された少なくとも１つのプロセッサと、
を備え、
前記少なくとも１つのプロセッサは、ライセンス周波数で運用されるプライマリセルと非ライセンス周波数で運用されるセカンダリセルとを使用するLicensed Assisted Access（LAA）を実行し、
前記少なくとも１つのプロセッサは、前記セカンダリセルのサブフレームに関するオフセット値を無線端末に送信し、
前記プライマリセルのサブフレームのタイミングと、前記オフセット値とは、前記非ライセンス周波数の前記セカンダリセルにおいて前記無線端末により行われるReference Signal Received Power（RSRP）及びReference Signal Received Quality（RSRQ）測定に用いられ、
前記少なくとも１つのプロセッサは、前記RSRP及びRSRQ測定の結果を受信する、
無線局。
【請求項６】
無線端末により行われる方法であって、
ライセンス周波数で運用されるプライマリセルと非ライセンス周波数で運用されるセカンダリセルとを使用するLicensed Assisted Access（LAA）を実行し、
前記セカンダリセルのサブフレームに関するオフセット値を受信し、
前記プライマリセルのサブフレームのタイミングと、前記オフセット値とに基づいて、前記非ライセンス周波数の前記セカンダリセルにおいてReference Signal Received Power（RSRP）及びReference Signal Received Quality（RSRQ）測定を行う、
ことを備える方法。
【発明の詳細な説明】
【技術分野】
【０００１】
本出願は、無線通信システムに関し、特に、セル識別子の競合（conflict）が起きている状況での無線端末の動作に関する。
【背景技術】
【０００２】
以下では、3rd Generation Partnership Project (3GPP) Release 8（Long Term Evolution (LTE)と呼ばれる）及びそれ以降で用いられる無線フレーム（radio frame）構造について説明し、次に、3GPP Release 10（LTE-Advancedと呼ばれる）で導入されたキャリアアグリゲーション（carrier aggregation (CA)）について説明する。さらに、3GPP Release 13に関して現在議論されているLicensed Assisted Access (LAA)、及び関連するLicensed Shared Access (LSA)について説明する。
【０００３】
始めにLTEの無線フレーム構造を説明する。3GPP Release 8及びそれ以降では、２種類の無線フレーム構造が用意されている。一方は、frame structure type 1と呼ばれ、frequency division duplex (FDD) に適用できる。他方は、frame structure type 2と呼ばれ、Time division duplex (TDD) に適用できる。図１６に示されている通り、type 1及びtype 2のいずれのフレーム構造においても、１つの無線フレームの長さは１０ミリ秒であり、１つの無線フレームは１０個のサブフレーム（subframe）から構成されている。なお、TDDの場合、前半の５つのサブフレーム（＃０〜＃４）と、後半の５つのサブフレーム（＃５〜＃９）をそれぞれハーフ・フレームと呼ぶ。ハーフ・フレームの長さは５ミリ秒である。１つのサブフレームの長さは、１ミリ秒である。さらに１つのサブフレームは、各々が０．５ミリ秒の２つのスロットに分解される。Normal cyclic prefixの場合、１つのスロットは、時間領域で７個のシンボル（アップリンクであればsingle carrier frequency division multiple access (SC-FDMA) シンボル、ダウンリンクであれば orthogonal frequency division multiplexing (OFDM)シンボル）を含む。したがって、１つのサブフレームは、時間領域で１４個のシンボルを含む。
【０００４】
さらに、3GPP Release 10では、無線基地局（eNode B: eNB）と無線端末（User Equipment: UE）が複数のセルを使用して通信を行うキャリアアグリゲーション（Carrier Aggregation: CA）機能の仕様化が行われた。なお、UEがCAで使用可能なセルは、１つのeNBの複数のセル（つまり、eNBによって運用または管理される複数セル）に限定される。CAにおいてUEが使用するセルは、CAを開始する時点で既にサービングセルとして使用されているプライマリセル（Primary cell: PCell）と、追加的に又は従属的に使用されるセカンダリセル（Secondary cell: SCell）に分類される。PCellでは、無線接続の（再）確立（Radio Resource Control (RRC) Connection Establishment, RRC Connection Re-establishment）の際に、Non Access Stratum（NAS）モビリティ情報（NAS mobility information）及びセキュリティ情報（security input）が送受信される（非特許文献１のセクション7.5を参照）。
【０００５】
CAの導入により機能的には高速通信の実現が可能になったが、実運用においては各オペレータに割り当てられた周波数の制限（不足）により、今後の更なるモバイルトラフィックの増加に対しては懸念が残るのが現状である。そこで、3GPP標準化では、非ライセンス周波数（Unlicensed frequency band、Unlicensed spectrum）を利用してLTEを実行するUnlicensed LTE（LTE-UまたはU-LTEとも呼ばれる。以降ではLTE-Uと記載する）の議論が開始されている（非特許文献２、３）。
【０００６】
LTE-Uの実現方式としては、ライセンス周波数と連動して（例えばCAのSCellとして）、非ライセンス周波数でeNBがUEと通信を行うLicensed Assisted Access (LAA)と、非ライセンス周波数のみでUEと通信を行うStandalone (SA)の２通りの方法が考えられている。ここで、非ライセンス周波数としては、例えば5GHz帯が想定されており、当該5GHz帯は、他にもレーダーシステム及び無線LAN(Wireless LAN: WLAN。WiFiとも呼ばれる)にも使用される周波数である。そのため、非ライセンス周波数のみで通信を行うSA方式は、LTEで規定される細やかな制御の実現可能性に懸念があり、実現可能性が比較的高いLAA方式（LA-LTEとも呼ばれる）が検討の中心とされている。以降では、ライセンス周波数と非ライセンス周波数でCAを行うLAA方式によるLTE-Uに注目して説明する。尚、ライセンス周波数とは、特定のオペレータに割り当てられた専用周波数を指す。また、非ラインセンス周波数とは、特定のオペレータに割り当てられていない周波数、あるいは複数のオペレータに割り当てられた共用周波数を指す。後者の場合、当該周波数は非ライセンス周波数と呼ばれる代わりに、ライセンス共有周波数とも呼ばれることがあり、当該周波数を使用した通信はLicensed Shared Access (LSA)とも呼ばれる。以降では、特定のオペレータのみにライセンスされたライセンス周波数以外のこれらの周波数を総称して非ライセンス周波数と呼ぶ。
【０００７】
LAA方式によるLTE-Uは、基本的に図１７に示すシーケンスに従って実行される。ここでは、eNBがライセンス周波数のCell #1と非ライセンス周波数のCell #2において、UE #1との間でデータ送信（又は受信）を行う場合を想定する。まず、Cell #1においてeNBとUE #1の間で無線接続が確立され（RRC Connection Establishment, 1501）、更にコアネットワーク（Evolved Packet Core: EPC）とUE #1の間でベアラが確立される（不図示）。つまり、Cell #1がUE #1のPCellとなる。eNBは、UE #1へ送信すべきダウンリンク（DL）・ユーザデータ（User Plane (UP)データとも呼ぶ）がある場合、又はUE #1が送信したいアップリンク（UL）・ユーザデータがある場合、当該ユーザデータをCell #1において送受信する（DL (or UL) UP data transmission, 1502）。
【０００８】
次に、eNBは、ある時点でUE #1がCell # 2においてユーザデータを送受信することが有効であると判定した場合（Trigger LTE-U for UE #1, 1503）、Cell #1においてCell #2の無線リソース設定に関する制御情報をUE #1に送信する（Radio Resource Configuration for Cell #2, 1504）。当該制御情報は、LTEにおけるRRC Connection Reconfiguration messageにて送信されるRadioResourceConfigDedicated Information Element (IE)及びRadioResourceConfigCommon IEに相当する（非特許文献４）。このとき、Cell #2がUE #1のSCellとなる。下りリンクでユーザデータを送信する場合、eNBは、Cell #2においてセンシングを行い、当該Cell #2が使用可能であるかを判定する（Perform channel sensing, 1505）。eNBは、Cell #2が使用可能であると判定した場合、UE #1との間でユーザデータを送受信する（DL (or UL) UP data transmission, 1506）。このように、非ライセンス周波数を利用することで更なるスループットの改善、或いはセル容量の増加が期待できる。
【０００９】
尚、上述のセンシングは、Listen Before Talk (LBT)とも呼ばれ（非特許文献２）、対象の非ライセンス周波数にて、他のオペレータによるLTE-U又は他の無線システム（e.g. WLAN）による通信が近隣で行われているか否かを判定するもので、レーダーシステムに対するChannel Availability Check (CAC)、及びWLANでAccess Point (AP)において実行されるClear Channel Assessment (CCA)などに相当する（特許文献１）。
【先行技術文献】
【非特許文献】
【００１０】
【非特許文献１】3GPP TS 36.300 V12.2.0 (2014-06), “3rd Generation Partnership Project; Technical Specification Group Radio Access Network; Evolved Universal Terrestrial Radio Access (E-UTRA) and Evolved Universal Terrestrial Radio Access Network (E-UTRAN); Overall description; Stage 2 (Release 12)”, 2014年6月
【非特許文献２】3GPP RP-131635, “Introducing LTE in Unlicensed Spectrum”, Qualcomm, Ericsson, 2013年12月
【非特許文献３】3GPP workshop on LTE in unlicensed spectrum, RWS-140002, “LTE in Unlicensed Spectrum: European Regulation and Co-existence Considerations”, Nokia, 2014年6月
【非特許文献４】3GPP TS 36.331 V12.2.0 (2014-06), “3rd Generation Partnership Project; Technical Specification Group Radio Access Network; Evolved Universal Terrestrial Radio Access (E-UTRA); Radio Resource Control (RRC); Protocol specification (Release 12)”, 2014年6月
【非特許文献５】3GPP TR 36.842 V12.0.0 (2013-12), “3rd Generation Partnership Project; Technical Specification Group Radio Access Network; Study on Small Cell enhancements for E-UTRA and E-UTRAN; Higher layer aspects (Release 12)”, 2013年12月
【発明の概要】
【発明が解決しようとする課題】
【００１１】
LAAでは、非ライセンス周波数のセルにおいてもPrimary Synchronization Signal (PSS)及びSecondary Synchronization Signal (SSS)が送信される必要がある。UEは、非ライセンス周波数のセルで送信されるPSS及びSSSを検出することによって、非ライセンス周波数のセルに同期することができ（つまり、10ms無線フレーム境界の位置を検出することができ）、非ライセンス周波数のセルのPhysical Cell Identity (PCI)を検出することができる。
【００１２】
しかしながら、LAAでは、異なるオペレータによって運用される２つの非ライセンス周波数のセルが同じPCIを使用することに起因してPCIの競合（conflict）が起こる可能性がある。PCIの競合（conflict）は、PCI collision及びPCI confusionを含む。PCI collisionは、近接する（例えば互いに隣接する）２つのセルが同じPCIを使用することを意味し、PCI confusionは、あるセルの周辺に同じPCIを持つ２つのセルがある（例えば当該セルにそれぞれ隣接するセルを有する）ことを意味する。
【００１３】
例えば、図１８に示すように、UE９３は、自身が帰属するオペレータ（オペレータA）のeNB９１によって提供されるセル（Cell #2）と同じPCI（PCI#5）を持つ他のオペレータ（オペレータB）のセル（Cell #3）を誤って検出し、operator BのCell #3に対して端末測定（i.e., Reference Signal Received Power (RSRP)及びReference Signal Received Quality (RSRQ)の測定）を行い、Cell #3の測定結果をCell #2に関する端末測定結果としてeNB９１にサービングセル（cell#1）において誤って報告するかもしれない。そして、eNB９１は、当該端末測定結果に基づいて、CAを開始するために当該UE９３にCell #2を設定してしまうかもしれない。そうすると、UE９３は、Cell #2において十分な通信品質を得ることができない可能性がある。
【００１４】
なお、仮に複数のセルの間でPCIの競合（conflict）が起きていても、UEは、Evolved Universal Terrestrial Radio Access Network (E-UTRAN) Cell Global ID (ECGI)を検出することでこれらのセルを区別（distinguish、differentiate、又はdiscriminate）できるかもしれない。ECGIは、E-UTRANセルをグローバルに一意に特定するための識別子である。しかしながら、LAAでキャリアアグリゲーションのセカンダリセルとして使用する非ライセンス周波数のセルではECGIを包含するSystem Information Block type 1 (SIB1)が送信されないかもしれない。よって、LAA（又LSA）において非ライセンス周波数（又はライセンス共用周波数）のセルがキャリアアグリゲーションのセカンダリセル（SCell）として使用される場合、UEはECGIに基づいて当該セルを他のセルと区別することが困難であるかもしれない。
【００１５】
なお、PCIの競合（conflict）は、上述したような複数のLTEオペレータが非ライセンス周波数（またはライセンス共用周波数）をLAA（またはLSA）のために使用する状況（situations）だけでなく様々な状況で発生し得る。PCIの競合（conflict）、つまりPCI collision又はPCI confusionは、非ライセンス周波数、ライセンス共用周波数、及びライセンス周波数のいずれが使用される場合にも発生する可能性があり、複数オペレータ間及び１つのオペレータ内のいずれでも発生する可能性がある。さらに、PCI confusionは、複数のセルが異なる周波数を使用するが、これらが同一のPCIを使用している場合にも発生する可能性がある。またさらに、PCIは、セル識別子（物理的な識別子）の一例である。LTE以外の無線通信システムでは、PCIとは異なる他のセル識別子が使用されるが（例えば、3GPP Universal Mobile Telecommunications System（UMTS）で使用されるPrimary Scrambling Code (PSC)）、PCIの競合（conflict）と同様にこれら他のセル識別子の競合も発生し得る。
【００１６】
従って、本明細書に開示される実施形態が達成しようとする目的の１つは、複数のセルが同じセル識別子（e.g., PCI）を使用する状況において、これら複数のセルを無線端末において区別できるようにすることに寄与する装置、方法、及びプログラムを提供することである。この目的は、本明細書に開示される実施形態が達成しようとする複数の目的の１つに過ぎないことに留意されるべきである。その他の目的又は課題と新規な特徴は、本明細書の記述又は添付図面から明らかにされる。
【課題を解決するための手段】
【００１７】
第１の態様では、無線端末は、メモリと前記メモリに結合された少なくとも１つのプロセッサとを含む。前記少なくとも１つのプロセッサは、ライセンス周波数を使用する第１のサービングセルのフレームタイミングと非ライセンス周波数を使用する第１のセルのフレームタイミングとの所定の関係に基づいて、前記非ライセンス周波数において前記第１のセルに関する所定の処理を行うよう構成されている。
【００１８】
第２の態様では、無線局は、メモリと前記メモリに結合された少なくとも１つのプロセッサとを含む。前記少なくとも１つのプロセッサは、前記無線局によってライセンス周波数において運用される第１のセルのフレームタイミングと前記無線局によって非ライセンス周波数において運用される第２のセルのフレームタイミングとの間のオフセットに関する情報を含む設定情報を無線端末に送信し、前記非ライセンス周波数に対して前記無線端末により行われる所定の処理に関する制御情報を前記無線端末に送信するよう構成されている。
【００１９】
第３の態様では、無線端末により行われる方法は、ライセンス周波数を使用する第１のサービングセルのフレームタイミングと非ライセンス周波数を使用する第１のセルのフレームタイミングとの所定の関係に基づいて、前記非ライセンス周波数において前記第１のセルに関する所定の処理を行うことを含む。
【００２０】
第４の態様では、無線局により行われる方法は、前記無線局によってライセンス周波数において運用される第１のセルのフレームタイミングと前記無線局によって非ライセンス周波数において運用される第２のセルのフレームタイミングとの間のオフセットに関する情報を含む設定情報を前記無線端末に送信すること、及び前記非ライセンス周波数に対して前記無線端末により行われる所定の処理に関する制御情報を前記無線端末に送信することを含む。
【００２１】
第５の態様では、プログラムは、コンピュータに読み込まれた場合に、上述の第３の態様に係る方法をコンピュータに行わせるための命令群（ソフトウェアコード）を含む。
【００２２】
第６の態様では、プログラムは、コンピュータに読み込まれた場合に、上述の第４の態様に係る方法をコンピュータに行わせるための命令群（ソフトウェアコード）を含む。
【発明の効果】
【００２３】
上述の態様によれば、複数のセルが同じセル識別子（e.g., PCI）を使用する状況において、これら複数のセルを無線端末において区別できるようにすることに寄与する装置、方法、及びプログラムを提供できる。
【図面の簡単な説明】
【００２４】
【図１Ａ】いくつかの実施形態に係る無線通信システムの構成例を示す図である。
【図１Ｂ】いくつかの実施形態に係る無線通信システムの構成例を示す図である。
【図２】いくつかの実施形態に係る無線通信システムの構成例を示す図である。
【図３】第１の実施形態に係る無線端末の動作の一例を示すフローチャートである。
【図４】第２の実施形態に係る無線端末の動作の一例を示すフローチャートである。
【図５】サービングセルと他のセルの間のフレームタイミングの関係の一例を示すタイミング・ダイアグラムである。
【図６】サービングセルと他のセルの間のフレームタイミングの関係の一例を示すタイミング・ダイアグラムである。
【図７】サービングセルと他のセルの間のフレームタイミングの関係の一例を示すタイミング・ダイアグラムである。
【図８】無線基地局から無線端末にオフセット値を通知する手順の一例を示すシーケンス図である。
【図９】第２の実施形態に係る無線端末の動作の一例を示すフローチャートである。
【図１０】第３の実施形態に係る無線端末の動作の一例を示すフローチャートである。
【図１１】第４の実施形態に係る無線端末の動作の一例を示すフローチャートである。
【図１２】いくつかの実施形態に係る無線通信システムの構成例を示す図である。
【図１３】いくつかの実施形態に係る無線通信システムの構成例を示す図である。
【図１４】いくつかの実施形態に係る無線端末の構成例を示すブロック図である。
【図１５】いくつかの実施形態に係る無線基地局の構成例を示すブロック図である。
【図１６】LTEの無線フレーム構造及びサブフレーム構造を示す図である。
【図１７】LTE-Uでの無線基地局及び無線端末の動作の一例を示すシーケンス図である。
【図１８】複数のセルがPCIを使用する状況におけるUEの動作の一例を説明するための図である。
【発明を実施するための形態】
【００２５】
以下では、具体的な実施形態について、図面を参照しながら詳細に説明する。各図面において、同一又は対応する要素には同一の符号が付されており、説明の明確化のため、必要に応じて重複説明は省略される。
【００２６】
以下に示される複数の実施形態は、LTE及びSAE（System Architecture Evolution）を収容するEvolved Packet System（EPS）を主な対象として説明される。しかしながら、これらの実施形態は、EPSに限定されるものではなく、他のモバイル通信ネットワーク又はシステム、例えば3GPP UMTS、3GPP2 CDMA2000システム（1xRTT, HRPD (High Rate Packet Data)）、global system for mobile communications（GSM（登録商標））/ General packet radio service（GPRS）システム、及びWiMAXシステム等に適用されてもよい。
【００２７】
＜第１の実施形態＞
始めに、本実施形態を含む複数の実施形態が対象とする非ライセンス周波数（Unlicensed frequency band, Unlicensed spectrum）を利用するUnlicensed LTEのいくつかの例について説明する。ここで、Unlicensed LTEはLTE-UまたはU-LTEとも呼ばれ、以降ではLTE-Uと記載して説明する。また、非ライセンス周波数とは、例えばレーダーシステム及び無線LAN（WLAN。WiFiとも呼ばれる）にも使用される周波数で、特定のオペレータ（つまり、サービス事業者）のみに割り当てられたライセンス周波数以外の周波数を指す。非ライセンス周波数としては、例えば5 GHz帯が想定されるが、これには限定されない。更に、以下に説明される複数の実施形態は、複数のオペレータに共通に割り当てられた共用周波数（Shared frequency band, Shared spectrum）においても適用可能であることは言うまでもない。以降では、ライセンス周波数以外のこれらの周波数を総称して非ライセンス周波数と呼ぶ。
【００２８】
図１Ａ及び図１Ｂは、本実施形態を含む複数の実施形態が対象とするLTE-Uの無線通信システムと他のシステムの構成例を示す図である。図１Ａの例では、無線通信システムは、LTEの無線基地局（eNB）１１と無線端末（UE）３を含む。eNB１１とUE３は、ライセンス周波数（F1）で通常のLTEによる通信を行うよう構成され、非ライセンス周波数（F2）にてLTE-Uによる通信を行うよう構成されている。図１Ｂの例では、図１Ａの例に加え、LTE eNB１１がリモート基地局１２（RRH又はRRE）を管理し、当該リモート基地局１２によって非ライセンス周波数（F2）にてLTE-Uによる通信を行う。
【００２９】
図１Ａと１Ｂの構成は、同じシステムに共存していてもよい。さらに、図１Ａ及び図１Ｂは、想定する無線通信システムの一部分のみを示しており、実際にはeNB１１、RRH/RRE１２、及びUE３の周辺に複数のeNB及びRRH/RRE並びに複数のUEが存在し、複数のライセンス周波数のセルがこれら複数のeNB及びRRH/RREにより管理される。さらに、eNB１１、RRH/RRE１２、及びUE３の周辺に複数の無線LANアクセスポイント（WLAN AP）と複数の無線LAN端末（WLAN Terminal）が存在してもよい。以降の説明では、LTE-Uの機能を有するeNBを総称して無線基地局１又はLTE-U eNB１と呼ぶ。つまり、無線基地局１又はLTE-U eNB１は、図１Ａの構成ではeNB１１に相当し、図１Ｂの構成ではeNB１１及びRRH/RRE１２に相当する。説明の便宜上、図１Ｂの構成のRRH/RRE１２に対応するノードのみを指して無線基地局１又はLTE-U eNB１と呼ぶこともある。
【００３０】
上述および以降の説明では、LTE-UがLAA（LA-LTEとも呼ばれる）で実現されることを想定する。既に述べたように、LAAでは、無線基地局（LTE-U eNB）１と無線端末（UE）３は、ライセンス周波数のセルと非ライセンス周波数のセルをキャリアグリゲーション（CA）し、ライセンス周波数のセルをプライマリセル（PCell）として使用すると共に、非ライセンス周波数のセルをセカンダリセル（SCell）として使用する。既に述べたように、LTE-Uは、非ライセンス周波数において実行される代わりに、複数のオペレータ（サービス事業者）に割り当てられた共用周波数（Shared frequency band、Shared spectrum）において実行されてもよい。この場合、LTE-Uは、上述のLAA又はこれと同様の方式で実現されてもよい。あるいは、LTE-U eNB１とUE３は、複数（例えば、F3とF4の２つ）の共用周波数を使用してCAを行い、片方の共用周波数（F3）をPCellとして通常のLTEを実行し、もう一方の共用周波数（F4）をSCellとしてLTE-Uを実行するようにしてもよい。既に述べたように、共用周波数におけるLTE-Uは特にLicensed Shared Access (LSA)とも呼ばれる。さらにまた、LTE-U eNB１とUE３は、複数のオペレータに割り当てられた共用周波数（例えばF3）と、いずれのオペレータにも割り当てられていない狭義の非ライセンス周波数（例えばF2、例えば5GHz帯）を使用してCAを行い、共用周波数（F3）をPCellとして通常のLTEを実行し、狭義の非ライセンス周波数（F2）をSCellとしてLTE-Uを実行するようにしてもよい。
【００３１】
図２は、異なるLTEオペレータによって提供される複数のセルが同じPCIを使用する状況の一例を示している。図２の例では、LTE-U eNB１は、オペレータAによって管理され、ライセンス周波数F1においてCell #1を運用し、非ライセンス周波数F2においてCell #2を運用している。Cell #2は、PCI #5を持つ。一方、LTE-U eNB２は、オペレータAとは異なる他のオペレータBによって管理され、非ライセンス周波数F2においてCell #3を運用している。図２の例では、Cell #2及びCell #3は互いに隣接しており且つ同じPCI #5を持つため、LTE-U eNB1及びUE３においてPCI collisionが発生するおそれがある。なお、同じPCI #5を持つCell #2及びCell #3は、互いに隣接していないが、各々がCell #1に隣接するよう配置されてもよく、この場合にはLTE-U eNB１においてPCI confusionが発生するおそれがある。
【００３２】
本実施形態に係るUE３は、図２に示すように複数のセル（e.g., Cell #2及びCell #3）が同一のPCI（e.g., PCI #5）及び同一の周波数（e.g., F2）を使用するよう設定された状況においてこれら複数のセルを区別するために以下のように動作する。すなわち、UE３は、互いに同一のPCI（e.g., PCI #5）及び同一の周波数（e.g., F2）を使用するよう設定された複数のセル（e.g., Cell #2及びCell #3）を、サービングセル（e.g., Cell #1）のフレームタイミングとこれら複数のセル（e.g., Cell #2及びCell #3）の各々のフレームタイミングとの関係に基づいて区別するよう構成されている。言い換えると、同一のPCI（e.g., PCI #5）及び同一の周波数（e.g., F2）を使用する第１のセル（e.g., Cell #2）及び第２のセル（e.g., Cell #3）が存在する場合、UE３は、第１のセル（e.g., Cell #2）のフレームタイミングとサービングセル（e.g., Cell #1）のフレームタイミングとの関係に基づいて、第１のセル（e.g., Cell #2）を第２のセル（e.g., Cell #3）と区別するよう構成されている。なお、本実施形態及び他の実施形態におけるフレームタイミングとの用語は、無線端末（e.g., UE３）において無線フレーム又はサブフレームの先頭（フレーム境界）を受信したタイミング、又は無線基地局（e.g., eNB１）から無線フレーム又はサブフレームの先頭（フレーム境界）を送信するタイミングを意味してもよい。或いは、フレームタイミングとの用語は、無線端末において同期信号（e.g., PSS、SSS）を受信したタイミング、又は無線基地局が同期信号（e.g., PSS、SSS）を送信するタイミングを意味してもよい。
【００３３】
図３は、UE３によって行われる処理の一例（処理３００）を示すフローチャートである。ブロック３０１では、UE３は、非ライセンス周波数（F2）においてCell #2のPCI及びフレームタイミングを検出する。ブロック３０２では、Cell #2のフレームタイミングとサービングセル(Cell #1)のフレームタイミングとの関係に基づいて、Cell #2をCell #2と同一のPCIを持つCell #3から区別する。
【００３４】
フレームタイミングの関係は、一例において、UE３において受信された非ライセンス周波数のセル（e.g., Cell #2又はCell #3）の無線フレームとサービングセル（e.g., Cell #1）のそれとの間のフレームタイミング差（frame timing difference）であってもよい。すなわち、同一のPCI（e.g., PCI #5）及び同一の周波数（e.g., F2）を使用するよう設定された複数のセル（e.g., Cell #2及びCell #3）は、サービングセルとの間で互いに異なるフレームタイミング差を持つことによって区別される。フレームタイミング差は、UE３において受信された非ライセンス周波数のセルの無線フレームの先頭位置（つまり、無線フレーム境界（frame boundary））とサービングセルのそれとの差として定義されてもよい。より具体的には、フレームタイミング差は、UE３において受信された非ライセンス周波数のセルの無線フレームの先頭位置（つまり、無線フレーム境界（frame boundary））とサービングセルのそれとの時間差（e.g., Nナノ秒、Mマイクロ秒）として定義されてもよい。これに代えて、フレームタイミング差は、同じ観測時刻にUE３において受信される非ライセンス周波数のセルのサブフレーム番号とサービングセルのそれとの差として定義されてもよい。或いは、フレームタイミングの差は、UE３において受信された非ライセンス周波数のセルの同期信号（e.g., PSS, SSS）が送信されるサブフレームと、サービングセルのそれとの時間差として定義されてもよい。
【００３５】
なお、サービングセルと非ライセンス周波数のセルでframe structure（つまり、duplex mode (FDD or TDD)）が異なる場合、その違いを考慮してもよい。つまり、第１の同期信号（PSS）及び第２の同期信号（SSS）の両方が、1番目のサブフレーム（subframe #1）と6番目のサブフレーム（subframe #6）で送信される点はframe structureによらず同じだが、実際にPSS及びSSSが送信される無線リソースがframe structure間で若干異なる。例えば、frame structure type 1 (FDD)の場合、第１の同期信号（PSS）は、slot #0及びslot #10それぞれの最後のOFDMシンボルで送信されるが、frame structure type 2 (TDD)の場合、第１の同期信号（PSS）は、subframe #1及びsubframe #6それぞれの3番目のOFDMシンボルで送信される。これに対して、frame structure type 1 (FDD)の場合、第２の同期信号（SSS）は、slot #0及びslot #10で送信されるが、frame structure type 2 (TDD)の場合、第２の同期信号（SSS）は、slot #1及びslot #11で送信される。従って、タイミング情報（例えば上述のフレームタイミングの差）をサブフレーム（1ミリ秒）より細かい精度（例えば、マイクロ秒）で導出する場合には、当該frame structure間の違いを考慮してもよい。
【００３６】
他の例において、フレームタイミングの関係は、非ライセンス周波数のセルとサービングセルとのSystem Frame Number（SFN）の差であってもよい。SFNは、無線フレームにシーケンシャルに付与された0 から1023の間の番号である。SFNは、その上位8 bitを、Master Information Block（MIB）を含むPhysical Broadcast Channel（PBCH）をデコードすることによりUE３にて得ることができる。さらに、下位4 bitを10 ミリ秒毎に繰り返し送信されるMIB（つまりPBCH）を受信して、当該繰り返しタイミングを認識することによりUE３にて得ることができる。この場合、同一のPCI（e.g., PCI #5）及び同一の周波数（e.g., F2）を使用するよう設定された複数のセル（e.g., Cell #2及びCell #3）は、互いに異なるSFNを持つことによって区別される。
【００３７】
以上の説明から理解されるように、本実施形態に係るUE３は、複数のセルが同じセル識別子（e.g., PCI）を使用する状況であっても、複数のセルの各々のフレームタイミングとサービングセルのそれとの関係に基づいてこれら複数のセルを区別することができる。
【００３８】
＜第２の実施形態＞
本実施形態では、UEおよびeNBによって行われる処理の他の例が説明される。本実施形態に係る無線通信システムの構成例は、第１の実施形態に関して説明された図１Ａ、図１Ｂ、及び図２と同様である。
【００３９】
図４は、UE３によって行われる処理の一例（処理４００）を示すフローチャートである。ブロック４０１では、UE３は、そのフレームタイミングがサービングセル（Cell #1）のフレームタイミングとの間に所定の関係を持つセル（E.G., Cell #2）の検出を非ライセンス周波数（F2）において試行する。
【００４０】
一例において、フレームタイミングに関する所定の関係は、UE３において受信された非ライセンス周波数のセル（e.g., Cell #2又はCell #3）の無線フレームの先頭位置（無線フレーム境界）がサービングセル（e.g., Cell #1）のそれと実質的に揃っている（aligned）ことであってもよい。２つのセルの無線フレームの先頭位置が“実質的に揃っている”ことは、これら２つのセルの無線フレームが実質的に同期していると言い換えることもできる。２つのセルの無線フレームの先頭位置が“実質的に揃っている”ことは、UE３において受信されるこれら２つセルの無線フレームの先頭位置の時間差が所定の閾値（e.g., 数十マイクロ〜数百マイクロ秒）以内であることにより判定されてもよい。これに代えて、“実質的に揃っている”ことは、ある観測期間内（e.g., １サブフレーム期間＝１ミリ秒）にUE３において受信される２つのセルのサブフレーム番号が同一であることにより判定されてもよい。
【００４１】
図５は、サービングセルと他のセルの間のフレームタイミングの関係の一例を示している。図５の例では、UE３において受信されたCell #2の無線フレームの先頭位置は、サービングセル（Cell #1）のそれと実質的に揃っている。一方、Cell #3の無線フレームの先頭位置は、サービングセル（Cell #1）のそれと揃っていない。したがって、上述の例では、UE３は、図５に示されたCell #2を所定の処理の対象とする。一方、UE３は、もし非ライセンス周波数のセル（e.g., 図５に示されたCell #3）のフレームタイミングがサービングセル（Cell #1）のそれと揃っていなければ、当該セル（Cell #3）を所定の処理の対象（候補）として考慮しない。
【００４２】
なお、UE３は、LAAでセカンダリセルとして使用可能な非ライセンス周波数のセルのフレームタイミングはサービングセルのそれと揃っているということを前提として、非ライセンス周波数で所定の処理の対象（候補）とするセルの検出を試みるようにしてもよい。これは、UE３が、非ライセンス周波数の検出のトリガとなる制御情報（e.g., measurement configuration for Unlicensed frequency/band）をLTE-U eNB1から受信した場合、当該制御情報で指定された非ライセンス周波数ではLAAでセカンダリセルとして使用可能なセルのフレームタイミングはサービングセルのそれと揃っていることを想定してセル検出を試みる、ということもできる。ここで、サービングセルは、PCellでもよいし、PCellと類似のセル（例えばDual ConnectivityのPSCell）でもよいし、所定のセルグループのサービングセルでもよいし、さらに当該無線端末の全てのサービングセルでもよい。
【００４３】
他の例において、フレームタイミングに関する所定の関係は、UE３において受信された非ライセンス周波数及びサービングセルの無線フレームの先頭位置が実質的に揃っている（無線フレームが同期している）ことに加えて、これら２つのセルのSystem Frame Number（SFN）が同一であることであってもよい。SFNは、既に述べたように、無線フレームにシーケンシャルに付与された0 から1023の間の番号である。
【００４４】
さらに他の例において、フレームタイミングに関する所定の関係は、UE３において受信された非ライセンス周波数のセル（e.g., Cell #2又はCell #3）のフレームタイミング（例えば、無線フレームの先頭位置または無線フレーム境界）がサービングセル（e.g., Cell #1）のそれに対して所定の第１のオフセット以内に納まること、又は第１のオフセットに納まらないこと、であってもよい。この場合、例えばUE３は、非ライセンス周波数でセルの検出を試み、検出されたセルが所定の関係を満たすか否か（つまり、第１のオフセット以内に納まるか否か、又は第１のオフセット以内に納まらないか否か）を判定し、当該所定の関係を満たす場合に（のみ）、検出されたセルを所定の処理の対象とするようにしてもよい。
【００４５】
ここで、所定の第１のオフセットの値は、２つセルの無線フレームの先頭位置（無線フレーム境界）の時間差（e.g., X msec）によって定義されてもよいし、ある観測期間内（e.g., １サブフレーム期間＝１ミリ秒）に受信される２つのセルのサブフレーム番号の差（e.g., Y subframes）によって定義されてもよい。所定のオフセットの値は、正の値であってもよいし、負の値であってもよい。なお、所定のオフセットの値がゼロであることは、２つのセルの無線フレームの先頭位置（または無線フレーム境界）が実質的に揃っていることを意味する。
【００４６】
図６は、サービングセルと他のセルの間のフレームタイミングの関係の一例を示している。図６の例では、UE３において受信されたCell #2の無線フレームの先頭位置は、サービングセル（Cell #1）のそれから約１サブフレーム時間だけオフセットしている。言い換えると、ある観測期間内（e.g., １サブフレーム期間＝１ミリ秒）に受信されるサブフレーム番号の差が＋１であると言うこともできる。所定の第１のオフセットが１サブフレーム（又はサブフレーム番号の差＝１）に設定されている場合、UE３は、所定の処理の対象として図６に示されたCell #2を選択してもよい。
【００４７】
さらに別の他の例において、フレームタイミングに関する所定の関係は、UE３において受信された非ライセンス周波数のセルのフレームタイミング（例えば、無線フレームの先頭位置または無線フレーム境界）がサービングセルのそれに対して所定の第２のオフセットだけずれていることであってもよい。この場合、例えばUE３は、非ライセンス周波数でセルの検出を試みる際、検出対象とするセルのフレームタイミングは、サービングセルのそれに対して第２のオフセットがあることを想定し、対応する検出タイミングにて非ライセンス周波数においてセルの検出を試みるようにしてもよい。なお、第２のオフセットの値は、第１のオフセットの値と同様に定義されてもよい。
【００４８】
図７は、サービングセルと他のセルの間のフレームタイミングの関係の一例を示している。図７の例では、UE３において受信されることが可能なCell#2およびCell#3のフレームタイミングを示している。ここで、UE３において受信されることが可能なセルとは、UE３の位置であれば当該セルの受信品質（e.g., RSRP）がセル検出には十分であると想定されるセルをいう。Cell #2の無線フレームの先頭位置は、サービングセル（Cell #1）のそれから約４サブフレーム時間だけずれている。言い換えると、ある観測期間内（e.g., １サブフレーム期間＝１ミリ秒）に受信されるサブフレーム番号の差が＋６であると言うこともできる。一方、Cell #3の無線フレームの先頭位置は、サービングセル（Cell #1）のそれから約７サブフレーム時間だけずれている。言い換えると、ある観測期間内（e.g., １サブフレーム期間＝１ミリ秒）に受信されるサブフレーム番号の差が＋３であると言うこともできる。所定の第２のオフセットが４サブフレーム（又はサブフレーム番号の差＝６）に設定されている場合、UE３は、所定の処理の対象として図７に示されたCell #2を選択してもよい。なお、図７の例で、所定の処理がセルの検出（つまり、セルサーチ処理）である場合には、第２のオフセットがあることを前提として、Cell #2の検出を試みるが、Cell #3は当該第２のオフセットでは検出できないためにセルの検出の対象とされない。
【００４９】
またさらに他の例において、フレームタイミングに関する所定の関係は、UE３において受信された非ライセンス周波数のセル（e.g., Cell #2又はCell #3）の無線フレーム番号（つまり、SFN）がサービングセル（e.g., Cell #1）のそれに対して所定の第１のオフセット以内に納まること、又は第１のオフセットに納まらないこと、或いは、所定の第２のオフセット（e.g., Z radio frames）だけずれていること、であってもよい。
【００５０】
図４に戻り説明を続ける。ブロック４０２では、UE３は、ブロック４０１において検出されたセルに対して所定の処理を行う。所定の処理は、以下に列挙する処理のうち少なくとも１つを含んでもよい。
・セルサーチ処理（cell search）
・セル選択処理（cell selection）
・セル再選択処理（cell reselection）
・セルへの近接の検出（proximity estimation）
・セルへの近接の報告（proximity indication）
・端末測定（RRM measurement）
・端末測定結果の報告（RRM measurement report）
・無線品質測定（CQI measurement）
・無線品質測定結果の報告（CQI report）
・通信路状態測定（CSI measurement）
・通信路状態測定結果の報告（CSI report）
・Sensing (CCA, energy detection)
【００５１】
あるセルをセルサーチ処理の対象とすることは、当該セルのPSS及びSSSの系列をcell search機能における検索の候補として選択することを意味する。セルサーチ処理は、以下の少なくとも１つを目的に当該セルが存在しているか否かを検索（探索）することであってもよい：
（ａ）サービングセル（e.g. SCell）として使用すること、
（ｂ）他のオペレータのセルが存在するか否かを確認すること、
（ｃ）他のオペレータのセルからの干渉測定（inter-operator measurement, inter-operator cell interference measurement, inter-network measurement, or inter-network interference measurement）を行うこと、及び
（ｄ）sensing(e.g. CCA, energy detection)を行うこと。
【００５２】
セルへの近接の検出は、例えば上述の（ａ）〜（ｄ）の少なくとも１つを目的に、対象セルが周辺（近く）に存在するか否かを、UE３が自律的に確認（推定）することであってもよい。セルへの近接（proximity）の検出は、セルへの近接の推定（proximity estimation）、セルの利用可能性（cell availability）の検出、又は単にセルの検出（cell discovery）と呼ぶこともできる。UE３による非ライセンス周波数における非帰属セル（non-serving cell）への近接（proximity）の検出は、例えば、当該非帰属セルにおいて無線基地局（LTE-U eNB）１から送信されるセル特定信号を検出することを含む。セル特定信号は、既知シンボル又は既知系列を包含する。セル特定信号は、例えば、同期信号（Synchronization Signal。LTEでは、PSS及びSSS）又は参照信号（Reference Signal: RS）でもよいし、当該セルにおいて報知される基本情報（Master Information Block: MIB）又はシステム情報（System Information Block: SIB。例えばSIB1若しくはSIB2、又はLTE-U用に規定されたSIBx）でもよい。この場合、UE３は、例えば当該セル特定信号（e.g., RS）の受信品質（e.g., RSRP, RSRQ, RSSI, SINR, 又はCQI）が所定の閾値以上か否か（または閾値より大きいか否か）に基づいて当該非帰属セルへの近接を検出してもよい。これに代えて、UE３は、当該非帰属セルにおいて報知される基本情報（MIB）又はシステム情報（SIB）を正しく受信したか否かに基づいて、当該非帰属セルへの近接を検出してもよい。なお、参照信号は、例えばセル固有参照信号（Cell Specific RS: CRS）、通信路状態情報（Channel State Information: CSI）の測定報告用の参照信号（CSI RS）、及びセル検出用の参照信号（Discovery RS: DRS）のうち少なくともいずれかを含んでもよい。DRSは、例えばPSS、SSS、CRS、及びCSI RSのうち２つ以上の組み合わせであってもよいし、セル検出のために新たに規定された参照信号であってもよい。
【００５３】
セルへの近接の報告は、上述のセルへの近接の検出の結果をライセンス周波数のサービングセル(e.g., PCell)でLTE-U eNB１へ報告することを含む。当該報告は、Radio Resource Control (RRC) messageとしてUE３からLTE-U eNB１に送信されてもよい。当該報告は、検出された非ライセンス周波数のセルを特定するために、セル識別子（e.g., PCI）に加えてタイミング情報を含んでもよい。当該タイミング情報は、無線端末における下りリンクの信号の受信に関するもので、検出されたセルのフレームタイミングとサービングセルのそれとの関係を示す。当該タイミング情報は、検出されたセルのフレームタイミングとサービングセルのそれとの差（e.g., 時間差、又はサブフレーム番号の差）を示してもよい。
【００５４】
図４に関する説明において、フレームタイミングに関する所定の関係の一例として、UE３において受信された非ライセンス周波数のセル（e.g., Cell #2又はCell #3）のフレームタイミング（つまり、無線フレームの先頭位置または無線フレーム境界）がサービングセル（e.g., Cell #1）のそれに対して所定のオフセットだけずれていること、又は所定のオフセット以内に納まることを示した。この例で使用される所定のオフセットの設定値は、サービングセル（Cell #1）のLTE-U eNB１からUE３に通知されてもよい。LTE-U eNB１は、例えば、所定のオフセットの設定値をUE３に送信される端末測定に関する設定情報（MeasConfig）に含めてもよい。これに代えて、LTE-U eNB１は、所定のオフセットの設定値をUE３に送信される非帰属セル（non-serving cell）への近接の検出に関する設定情報（proximity configuration for unlicensed frequency）に含めてもよい。
【００５５】
図８は、端末測定に関する無線基地局（LTE-U eNB）１と無線端末（UE）３の動作（処理８００）を示すシーケンス図であり、所定のオフセットの設定値が端末測定に関する設定情報（MeasConfig）に含まれる例を示している。図８では、図２と同様に、LTE-U eNB１が、ライセンス周波数（F1）におけるセル（Cell #1）と非ライセンス周波数（F2）におけるセル（Cell #2）を管理する場合を想定する。
【００５６】
図８において、まずUE３は、Cell #1においてLTE-U eNB１と無線接続を確立し（RRC Connection Establishment、801）、更に図示しないコアネットワーク（EPC）との間でベアラ（e.g. EPS bearer, E-RAB）の確立を行う。この後、例えばユーザデータの送受信が可能な状態になる（不図示）。LTE-U eNB１は、UE３に非ライセンス周波数（例えばF2）における端末測定（UE measurement）の指示を、Cell #1で所定の制御シグナリングによって行う（Measurement Configuration and Instruction for Unlicensed Frequency (e.g. Cell #2 on F2)、802）。言い換えると、Cell #1で送信される所定の制御シグナリングは、非ライセンス周波数（例えばF2）における端末測定（UE measurement）の指示を示す。
【００５７】
当該制御シグナリング又は端末測定の指示（802）は、端末測定の対象とするべき非ライセンス周波数のセルを特定するために、セル識別子（e.g., PCI）及び所定のオフセットの設定値を示す。所定のオフセットの設定値は、サービングセル（e.g., Cell #1）のフレームタイミングに対する非ライセンス周波数のセル（e.g., Cell #2）のフレームタイミングのオフセットの大きさを表す。既に述べたように、所定のオフセットの設定値は、２つセルの無線フレームの先頭位置（無線フレーム境界）の時間差（e.g., X msec）によって定義されてもよいし、ある観測期間内（e.g., １サブフレーム期間＝１ミリ秒）に受信される２つのセルのサブフレーム番号の差（e.g., Y subframes）によって定義されてもよい。
【００５８】
図８に戻り説明を続ける。UE３は、当該制御シグナリング（802）に応答して、つまり当該端末測定の指示に従い、Cell #2において端末測定を行い（Measurement、804）、当該端末測定の結果をCell #1においてLTE-U eNBに報告する（Measurement Reporting for Unlicensed Frequency (e.g. Cell #2 on F2)、805）。UE３は、例えば、端末測定（804）において、LTE-U eNB１からCell #2にて送信されるPSS及びSSSに基づいて、Cell #2のPCI及びフレームタイミングを特定し、Cell #2にて送信されるCRSの受信強度又は受信品質を測定してもよい。
【００５９】
なお、Cell #1で所定の制御シグナリング（802）は、端末測定の対象としてライセンス周波数のセル（Cell #1）をさらに指定してもよい。端末測定（804）は、Cell#2に加え、Cell #1の端末測定を含んでもよい。LTE-U eNBへのCell #1での端末測定結果の報告（805）は、Cell #2の測定結果に加え、Cell #1の測定結果を含んでもよい。
【００６０】
図９は、UE３によって行われる処理の他の例（処理９００）を示すフローチャートである。ブロック９０１では、図４の処理４００とは対照的に、UE３は、そのフレームタイミングがサービングセル（Cell #1）のフレームタイミングとの間に所定の関係を持たないセル（E.G., Cell #3）の検出を非ライセンス周波数（F2）において試行する。フレームタイミングの所定の関係の例は、図４に関して既に説明したように、２つのセルの無線フレームの先頭位置（無線フレーム境界）が実質的に揃っていること、又は２つのセルの無線フレームの先頭位置の間に所定のオフセットが存在することであってもよい。ブロック９０２では、UE３は、ブロック９０１において検出されたセルに対して所定の処理を行う。所定の処理は、図４に関して説明された複数の処理のうち少なくとも１つを含んでもよい。
【００６１】
以上の説明から理解されるように、本実施形態に係るUE３は、ライセンス周波数を使用するサービングセル（Cell #1）のフレームタイミングと非ライセンス周波数を使用する対象セル（e.g., Cell #2又はCell #3）のフレームタイミングとの所定の関係に基づいて、非ライセンス周波数において当該対象セルに関する所定の処理を行うことができる。したがって、本実施形態に係るUE３は、サービングセル（Cell #1）のフレームタイミングとの間に当該所定の関係を持つか否かによって、非ライセンス周波数の複数のセルを区別することに寄与できる。いくつかの実装において、所定の関係は、対象セル（e.g., Cell #2又はCell #3）のフレームタイミングがサービングセルのフレームタイミング（Cell #1）と揃っていることを含んでもよい。いくつかの実装において、所定の関係は、対象セル（e.g., Cell #2又はCell #3）のフレームタイミングがサービングセル（Cell #1）のフレームタイミングに対して所定の第１のオフセットに納まること、又は第１のオフセットに納まらないことを含んでもよい。いくつかの実装において、所定の関係は、対象セル（e.g., Cell #2又はCell #3）のフレームタイミングがサービングセル（Cell #1）のフレームタイミングに対して所定の第２のオフセットだけずれていることを含んでもよい。
【００６２】
以上で説明した第２の実施形態は、以下のように実現することもできる。
【００６３】
１．無線端末（UE、e.g., UE３）は、（無線基地局（eNB、e.g., LTE-U eNB１）からフレームタイミングの同期に関する何の情報も貰わずに）ライセンス周波数（e.g., F1）のサービングセル（e.g., Cell #1）と同期していることを前提として、非ライセンス周波数（e.g., F2）における所定の処理（セルサーチ、端末測定、近接の検出など）を行う。なお、所定の処理を行うトリガは、eNBから当該所定の処理に関する制御情報を受信することでもよい。一方、eNBは、ライセンス周波数（e.g., F1）の第１のセル（UEのサービングセル、e.g., Cell #1）と同期して、非ライセンス周波数（e.g., F2）で第２のセル（e.g., Cell #2）を運用し、当該第２のセルに対して所定の処理を行うトリガとなる制御情報をUEに送信する。なお、当該制御情報は、UE個別メッセージ（RRC signaling. E.g., RadioResourceConfigDedicated）または報知情報（SIB）にて送信してもよい。
【００６４】
２．無線端末（UE、e.g., UE３）は、無線基地局（eNB、e.g., LTE-U eNB１）から所定の許容オフセット（第１のオフセット。E.g., フレームタイミング又は同期信号(PSS, SSS)の検出タイミングのズレの許容値）を受信し、当該許容オフセットに納まる非ライセンス周波数（e.g., F2）のセル（e.g., Cell #2）のみに対して所定の処理を行う。なお、所定の処理を行うトリガは、当該許容オフセット値と一緒に、又は別々のメッセージで、eNBから当該所定の処理に関する制御情報を受信することでもよい。一方、eNBは、ライセンス周波数（e.g., F1）の第１のセル（e.g., Cell #1）と同期して、非ライセンス周波数（e.g., F2）で第２のセル（e.g., Cell #2）を運用し、当該第２のセルに対して所定の処理を行うトリガとなる制御情報、及び、対象とすべきセルか否かの判定基準となる許容オフセットをUEに送信する。なお、当該制御情報および当該許容オフセットは、UE個別メッセージ（RRC signaling。E.g., RadioResourceConfigDedicated）または報知情報（SIB）にて送信する。さらに、制御情報と、許容オフセットの値と制御情報は一緒に、又は別々のメッセージで、UEに送信してもよい。
【００６５】
３．無線端末（UE、e.g., UE３）は、無線基地局（eNB、e.g., LTE-U eNB１）から所定のオフセットの値（第２のオフセット。E.g., フレームタイミング又は同期信号(PSS, SSS)の検出タイミングの差）を受信し、当該オフセットのある非ライセンス周波数（e.g., F2）のセル（e.g., Cell #2）（のみ）に対して所定の処理を行う。なお、所定の処理を行うトリガは、当該オフセットの値と一緒に、又は別々のメッセージで、eNBから当該処理の処理に関する制御情報を受信することでもよい。一方、eNBは、ライセンス周波数（e.g., F1）の第１のセル（e.g., Cell #1）と時間的に所定のオフセットをもって非ライセンス周波数（e.g., F2）で第２のセル（e.g., Cell #2）を運用し、当該オフセットの値と当該第２のセルに対して所定の処理を行うトリガとなる制御情報をUEに送信する。なお、当該オフセットの値および当該制御情報は、UE個別メッセージ（RRC signaling。E.g., RadioResourceConfigDedicated）または報知情報（SIB）にて送信する。さらに、オフセットの値と制御情報は一緒に、又は別々のメッセージで、UEに送信してもよい。
【００６６】
＜第３の実施形態＞
本実施形態では、UE及びeNBによって行われる処理の他の例が説明される。本実施形態に係る無線通信システムの構成例は、第１の実施形態に関して説明された図１Ａ、図１Ｂ、及び図２と同様である。
【００６７】
本実施形態に係るUE３は、互いに同一のセル識別子及び同一の周波数を使用するよう設定された複数の非ライセンス周波数のセル（e.g., Cell #2及びCell #3）のうち少なくとも１つ（e.g., Cell #3）を検出した場合に、検出されたセルのフレームタイミングに関するタイミング情報及びセル識別子（e.g., PCI）をサービングセル（Cell #1）においてLTE-U eNB１に送信するよう構成されている。タイミング情報は、検出されたセル（e.g., Cell #3）のフレームタイミングとサービングセル（Cell #1）のフレームタイミングとの関係を示す。当該タイミング情報は、検出されたセル（e.g., Cell #3）のフレームタイミングとサービングセル（Cell #1）のそれとの差（e.g., 時間差、又はサブフレーム番号の差）を示してもよい。
【００６８】
いくつかの実装（implementations）において、LTE-U eNB１は、UE３から受信したタイミング情報及びセル識別子を、LTE-U eNB１又はこれを管理するオペレータAによってサービングセル（Cell #1）の近傍において運用されている非ライセンス周波数のセル（e.g., Cell #2）のフレームタイミング及びセル識別子と比較してもよい。そして、LTE-U eNB１は、検出されたセル（e.g., Cell #3）のセル識別子（e.g., PCI）がLTE-U eNB１またはこれを管理するオペレータAによって非ライセンス周波数において提供されるセル（e.g., Cell #2）のそれと合致しているが、これら２つのセルのフレームタイミングが揃っていない場合に、検出されたセル（e.g., Cell #3）とLTE-U eNB１又はそのオペレータAのセル（e.g., Cell #2）の間でセル識別子の競合（conflict）が生じていることを検出してもよい。いくつかの実装（implementations）において、この処理は、LTE-U eNB１とは異なる他のコントロールノード（e.g., Self-Organizing Network (SON) controller、Software-Defined Network (SDN)コントローラ、Operations Support System (OSS)、又はElement Management System (EMS)）によって行われてもよい。
【００６９】
図１０は、本実施形態に係るUE３によって行われる処理の一例（処理１０００）を示すフローチャートである。ブロック１０１１では、UE３は、非ライセンス周波数（F2）においてセルの検出を試行する。当該セル検出処理（1011）は、LTE-UE eNB１からUE３に設定された端末測定（RRM measurement）またはセルへの近接の検出（proximity detection）において行われてもよい。ブロック１０１１では、UE３は、非ライセンス周波数（F2）において検出されたセルを、セル識別子（e.g., PCI）だけでなく、検出されたセルのフレームタイミングとサービングセル（Cell #1）のそれとの関係に基づいて特定する。すなわち、UE３は、非ライセンス周波数（F2）において同一のPCIを使用する複数のセルを検出した場合であっても、これら複数のセルをサービングセル（Cell #1）のフレームタイミングとの関係に基づいて区別することができる。
【００７０】
ブロック１０１２では、UE３は、検出されたセル（e.g., Cell #3）のフレームタイミングに関するタイミング情報及びPCIをサービングセル（Cell #1）においてLTE-U eNB１に送信する。既に説明したように、タイミング情報は、検出されたセル（e.g., Cell #3）のフレームタイミングとサービングセル（Cell #1）のフレームタイミングとの関係（e.g., フレームタイミング差）を示す。
【００７１】
本実施形態に係るUE３は、PCIの競合の検出に有用な情報（つまり、フレームタイミングに関するタイミング情報）をネットワーク（e.g., eNB１又はその他のコントロールノード）に提供できる。したがって、本実施形態によれば、UE３は、ネットワークによるPCIの競合、つまりPCI collision又はPCI confusion、の検出を支援することができる。
【００７２】
＜第４の実施形態＞
本実施形態では、UE及びeNBによって行われる処理の他の例が説明される。本実施形態に係る無線通信システムの構成例は、第１の実施形態に関して説明された図１Ａ、図１Ｂ、及び図２と同様である。
【００７３】
図１１は、本実施形態に係るUE３によって行われる処理の一例（処理１１００）を示すフローチャートである。ブロック１１０１では、UE３は、非ライセンス周波数（F2）においてセルの検出を試行する。当該セル検出処理（1101）は、LTE-UE eNB１からUE３に設定された端末測定（RRM measurement）またはセルへの近接の検出（proximity detection）において行われてもよい。ブロック１１０１では、UE３は、非ライセンス周波数（F2）において検出されたセルを、セル識別子（e.g., PCI）だけでなく、検出されたセルのフレームタイミングとサービングセル（Cell #1）のそれとの関係に基づいて特定する。すなわち、UE３は、非ライセンス周波数（F2）において同一のPCIを使用する複数のセルを検出した場合であっても、これら複数のセルをサービングセル（Cell #1）のフレームタイミングとの関係に基づいて区別することができる。
【００７４】
ブロック１１０２では、検出されたセル（e.g., Cell #2）を所定の処理の対象とするか否かを判定するために、当該検出されたセルのフレームタイミングがサービングセル（Cell #1）のフレームタイミングに対して第１のオフセット以内に納まるか否かを判定する。いくつかの実装において、UE３は、当該検出されたセルのフレームタイミングがサービングセル（Cell #1）のそれに対して第１のオフセット以内に納まる場合に、当該検出されたセルを所定の処理の対象としてもよい。これとは反対に、いくつかの実装において、UE３は、当該検出されたセルのフレームタイミングがサービングセル（Cell #1）のそれに対して第１のオフセットに納まっていない場合に、当該検出されたセルを所定の処理の対象としてもよい。
【００７５】
ここで、所定の処理は、第２の実施形態において説明したのと同様に、セルサーチ、セル選択、セル再選択、セルへの近接の検出、セルへの近接の報告、端末測定、端末測定結果の報告、無線品質測定、無線品質測定結果の報告、通信路状態測定、通信路状態測定結果の報告、及びセンシングのうち少なくとも１つを含んでもよい。第１のオフセットの値は、第２の実施形態において説明したのと同様に、２つセルの無線フレームの先頭位置（無線フレーム境界）の時間差（e.g., X msec）によって定義されてもよいし、ある観測期間内（e.g., １サブフレーム期間＝１ミリ秒）に受信される２つのセルのサブフレーム番号の差（e.g., Y subframes）によって定義されてもよい。第１のオフセット（許容オフセット）は、UE個別メッセージ（RRC signaling）または報知情報（SIB）を用いて、LTE-U eNB１からUE３に送信されてもよい。
【００７６】
以上の説明から理解されるように、本実施形態に係るUE３は、非ライセンス周波数においてセルの検出を試行し、検出されたセル（e.g., Cell #2又はCell #3）とサービングセル（Cell #1）とのフレームタイミングの関係を積極的に判定し、検出されたセルのフレームタイミングがサービングセル（Cell #1）のそれと所定の関係を持つことに応答して当該検出されたセルを所定の処理の対象とすることができる。したがって、本実施形態に係るUE３は、サービングセル（Cell #1）のフレームタイミングとの間に当該所定の関係を持つか否かによって、非ライセンス周波数の複数のセルを区別することに寄与できる。
【００７７】
＜第５の実施形態＞
上述の第１〜第４の実施形態では、ライセンス周波数と非ライセンス周波数でCAを行うLAA方式によるLTE-Uの例について説明した。本実施形態では、LTE-U eNB及びUEがDual Connectivity (DC)の機能を有するケースについて説明する。図１２は、本実施形態に係る無線通信システムの構成例を示す図である。無線基地局（eNB）４及び５並びに無線端末（UE）７は、Dual Connectivityの機能を有する。Dual Connectivityは、メイン基地局（マスター基地局、Master eNB: MeNB）４とサブ基地局（セカンダリ基地局、Secondary eNB: SeNB）５によって提供される（つまり、管理される）それぞれの無線リソース（つまり、セル又はキャリア）を同時に使用してUE７が通信を行う処理である。図１２の例では、MeNB４とSeNB５がX2インターフェースを介して接続され、MeNB４がライセンス周波数F1のCell #1を管理し、SeNB５がライセンス周波数F2のCell #2と非ライセンス周波数F3のCell #3を管理する。MeNB４及びSeNB５は、DCを行わないUEにとっては通常のLTE eNBとして動作し、それぞれCell #1及びCell #2において独立してUEと通信が可能である。
【００７８】
DCをサポートするUE７は、MeNB４とSeNB５のそれぞれによって管理される周波数が異なる複数のセルを同時に帰属セル（serving cell）として使用するキャリアアグリゲーション（Carrier Aggregation: CA）を行うことができる。MeNB４が管理するserving cellの集合はMaster Cell Group (MCG)と呼ばれ、SeNB５が管理するserving cellの集合はSecondary Cell Group (SCG)と呼ばれる。MCGは、少なくともPrimary Cell (PCell)を含み、更に１つ以上のSecondary Cell (SCell)を含んでもよい。SCGは、少なくともPrimary SCell (pSCell又はPSCellと略記)を含み、更に１つ以上のSCellを含んでもよい。pSCellは、少なくとも上りリンクの物理制御チャネル（Physical Uplink Control CHannel: PUCCH）が割り当てられており、SCGの中でPCellのような役割を持つセルである。
【００７９】
以下では、Dual Connectivity（DC）に関して簡単に説明する。Dual Connectivityの詳細については、例えば、非特許文献５を参照されたい。MeNB４は、DCを実行するUE７に対するコアネットワーク（Evolved Packet Core: EPC）のモビリティ管理装置（Mobility Management Entity: MME）との接続（S1-MME）を保持する。その為、MeNB４はUE７のモビリティ管理ポイント（又はmobility anchor）と呼ぶことができる。従って、Control Plane (CP)の制御情報は、MCGにおいてMeNB４とUE７の間で送受信される。SeNB５のSCGに関連するCPの制御情報は、SeNB５とMeNB４の間（X2インターフェース）で送受信され、更にMCGにおいてMeNB４とUE７の間で送受信される。例えば、SCGのRadio Resource Configuration (e.g. RadioResoureConfigDedicated IE)は、SCG-Configurationと呼ばれるinter-node RRC messageでSeNB５からMeNB４へ送信され、RRC Connection Reconfiguration messageでMeNB４からUE７へ送信される。一方、UE７の端末能力情報（UE-EUTRA capabilities IE）、SCGのセキュリティ情報（e.g. S-KeNB）、MCGのRadio Resource Configuration (e.g. RadioResourceConfigDedicated IE)などは、SCG-ConfigInfoと呼ばれるinter-node RRC messageでMeNB４からSeNB５へ送信される。
【００８０】
DCでは、User Plane (UP)のベアラ設定の観点から３つの構成がサポートされている。１つ目はMCG bearerである。MCG bearerは、MeNB４のリソース（e.g. MCG）のみを使用する為に、無線プロトコルがMeNB４のみに配置されているベアラであり、DCを行わない通常のLTEと同様に、ゲートウェイ装置（Serving Gateway (S-GW)又はPacket Data Network Gateway (P-GW)）とMeNB４の間で接続（S1-U）が保持される。2つ目はSCG bearerである。SCG bearerは、SeNB５のリソース（e.g. SCG）のみを使用する為に、無線プロトコルがSeNB５のみに配置されているベアラであり、ゲートウェイ装置（S-GW又はP-GW）とSeNB５の間で接続（S1-U）が保持される。3つ目はSplit bearerである。Split bearerは、MeNB４とSeNB５の両方のリソース（e.g. MCGとSCG）を使用する為に、無線プロトコルがMeNB４とSeNB５の両方に配置されているベアラである。Split bearerでは、ゲートウェイ装置（S-GW又はP-GW）とMeNB４の間で接続（S1-U）が保持され、例えばSCGで送信されるUP data（e.g. PDCP PDU）は、X2を介してMeNB４からSeNB５へ転送される。DCを実行中のSeNB５及びUE７においてLAAを行う場合、例えばSCGのPSCellと共に非ライセンス周波数のセルをSCellとして使用する。このとき、非ライセンス周波数のセルでは、SCG bearer又はSplit bearerに対応する無線ベアラ（Radio Bearer）が確立される。
【００８１】
図１３は、異なるLTEオペレータによって提供される複数のセルが同じPCIを使用する状況の一例を示している。図１３の例では、Dual Connectivity をサポートするMeNB４及びSeNB５は、オペレータAによって管理される。非ライセンス周波数（F3）のCell #3は、PCI #5を持つ。一方、LTE-U eNB６は、オペレータAと異なる他のオペレータBによって管理され、非ライセンス周波数F3においてCell #4を運用している。図１３の例では、Cell #3及びCell #4は互いに隣接しており且つ同じPCI #5を持つため、PCI collisionが発生している。なお、同じPCI #5を持つCell #3及びCell #4は、互いに隣接していないが、各々がCell #2に隣接するよう配置されてもよく、この場合にはPCI confusionが発生する。
【００８２】
第１〜第４の実施形態で説明された、非ライセンス周波数のセルをそのフレームタイミングとサービングセルのフレームタイミングとの所定の関係に基づいてUEにおいて区別する技術は、図１３に示されたDual Connectivityのケースにも適用できる。なお、上述のサービングセルは、MeNB４のセル（MCG。E.g., PCell）でもよいし、SeNB５のセル（SCG。E.g., PSCell）でもよい。ただし、MeNB４のMCGとSeNB５のSCGとの間でSFNが同期していてもよいし、同期していなくてもよい。SFNが同期していない場合で、かつ、第１及び第２の実施形態の説明で示したサービングセルがMeNB４のセル（e.g., PCell）である場合、UE７はMCGとSCGのSFNの差を考慮して所定の関係に対する判定をしてもよいし、MeNB４のセル（e.g., PCell）のSFNを基に所定の関係に対する判定をしてもよい。後者の場合、UE７はSFNの差もMeNB４に報告するようにしてもよい。
【００８３】
また、UE７は、例えば第１及び第２のオフセットの値などを含む制御情報をSCGにおいてSeNB５から受信してもよいし、MCGにおいてMeNB４から受信してもよい。また、当該制御情報は、SeNB５が生成してもよいし、MeNB４が生成してもよい。前者の場合、SeNB５は生成した制御情報（例えばオフセットの設定値）を例えばSCG-ConfigurationにてMeNB４に転送し、MeNB４がUE７に送信してもよい。さらに、UE７は、非ライセンス周波数（F3）において検出されたセルのタイミング情報をSCGにおいてSeNB５に送信してもよいし、MCGにおいてMeNB４に送信してもよい。後者の場合、MeNB４は、当該タイミング情報を例えばSCG-ConfigInfoにてSeNB５に転送してもよい。
【００８４】
最後に上述の実施形態に係る無線端末（UE３、UE７）及び無線基地局（LTE-U eNB１、MeNB４、SeNB５）の構成例について説明する。上述の実施形態で説明された無線端末（UE３、UE７）の各々は、無線基地局（LTE-U eNB１、MeNB４、SeNB５）と通信するためのトランシーバ、及び当該トランシーバに結合されたコントローラを含んでもよい。コントローラは、上述の実施形態で説明された無線端末（UE３、UE７）に関する処理（例えば、非ライセンス周波数のセルをそのフレームタイミングとサービングセルのフレームタイミングとの関係に基づいて区別する処理）を実行する。
【００８５】
上述の実施形態で説明された無線基地局（LTE-U eNB１、MeNB４、SeNB５）の各々は、無線端末（UE３、UE７）と通信するためのトランシーバ、及び当該トランシーバに結合されたコントローラを含んでもよい。コントローラは、上述の実施形態で説明された無線基地局（LTE-U eNB１、MeNB４、SeNB５）に関する処理（例えば、所定のオフセットの設定値のUE３又はUE７への送信、UE３又はUE７から受信したタイミング情報に基づくPCIの競合の検出）を実行する。
【００８６】
図１４は、第１〜第４の実施形態に係る無線端末（UE）３の構成例を示すブロック図である。第５の実施形態に係る無線端末７も図１４と同様の構成を有してもよい。図１４を参照すると、UE３は、無線トランシーバ３００１、プロセッサ３００２、及びメモリ３００３を含む。無線トランシーバ３００１は、LTE-U eNB１と通信するよう構成されている。
【００８７】
プロセッサ３００２は、メモリ３００３からソフトウェア（コンピュータプログラム）を読み出して実行することで、上述の実施形態で説明された処理３００、４００、８００、９００、１０００、又は１１００に関するUE３の処理を行う。プロセッサ３００２は、例えば、マイクロプロセッサ、Micro Processing Unit（MPU）、又はCentral Processing Unit（CPU）であってもよい。プロセッサ３００２は、複数のプロセッサを含んでもよい。
【００８８】
メモリ３００３は、揮発性メモリ及び不揮発性メモリの組み合わせによって構成される。揮発性メモリは、例えば、Static Random Access Memory（SRAM）若しくはDynamic RAM（DRAM）又はこれらの組み合わせである。不揮発性メモリは、例えば、マスクRead Only Memory（MROM）、Programmable ROM（PROM）、フラッシュメモリ、若しくはハードディスクドライブ、又はこれらの組合せである。また、メモリ３００３は、プロセッサ３００２から離れて配置されたストレージを含んでもよい。この場合、プロセッサ３００２は、図示されていないI/Oインターフェースを介してメモリ３００３にアクセスしてもよい。
【００８９】
メモリ３００３は、上述の実施形態で説明された処理３００、４００、８００、９００、１０００、又は１１００に関するUE３の処理を実行するための命令群およびデータを含む１又は複数のソフトウェアモジュールを格納するために使用されてもよい。プロセッサ３００２は、当該１又は複数のソフトウェアモジュールをメモリ３００３から読み出して実行することで、上述の実施形態で説明されたUE３の処理を行うことができる。
【００９０】
図１５は、第１〜第４の実施形態に係る無線基地局（LTE-U eNB）１の構成例を示すブロック図である。第５の実施形態に係る無線基地局４及び５も図１５と同様の構成を有してもよい。図１５を参照すると、LTE-U eNB１は、無線トランシーバ１００１、ネットワークインターフェース１００２、プロセッサ１００３、及びメモリ１００４を含む。無線トランシーバ１００１は、UE３と通信するよう構成されている。ネットワークインターフェース１００２は、ネットワークノード（e.g., MME及びS-GW）と通信するために使用される。ネットワークインターフェース１００２は、例えば、IEEE 802.3 seriesに準拠したネットワークインターフェースカード（NIC）を含んでもよい。
【００９１】
プロセッサ１００３は、メモリ１００４からソフトウェア（コンピュータプログラム）を読み出して実行することで、上述の実施形態で説明された処理３００、４００、７００、８００、又は９００に関するLTE-U eNB１の処理を行う。プロセッサ１００３は、例えば、マイクロプロセッサ、MPU、又はCPUであってもよい。プロセッサ１００３は、複数のプロセッサを含んでもよい。
【００９２】
メモリ１００４は、揮発性メモリ及び不揮発性メモリの組み合わせによって構成される。揮発性メモリは、例えば、SRAM若しくはDRAM又はこれらの組み合わせである。不揮発性メモリは、例えば、MROM、PROM、フラッシュメモリ、若しくはハードディスクドライブ、又はこれらの組合せである。メモリ１００４は、プロセッサ１００３から離れて配置されたストレージを含んでもよい。この場合、プロセッサ１００３は、ネットワークインターフェース１００２又は図示されていないI/Oインターフェースを介してメモリ１００４にアクセスしてもよい。
【００９３】
メモリ１００４は、上述の実施形態で説明された処理３００、４００、８００、９００、１０００、又は１１００に関するLTE-U eNB１の処理を実行するための命令群およびデータを含む１又は複数のソフトウェアモジュールを格納するために使用されてもよい。プロセッサ１００３は、当該１又は複数のソフトウェアモジュールをメモリ１００４から読み出して実行することで、上述の実施形態で説明されたLTE-U eNB１の処理を行うことができる。
【００９４】
図１３及び図１４を用いて説明したように、上述の実施形態に係るUE３及び７並びにeNB１、４及び５が有するプロセッサの各々は、図面を用いて説明されたアルゴリズムをコンピュータに行わせるための命令群を含む１又は複数のプログラムを実行してもよい。これらのプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００９５】
＜その他の実施形態＞
上述の複数の実施形態は、各々独立に実施されてもよいし、適宜組み合わせて実施されてもよい。
【００９６】
上述の実施形態では、説明の便宜のために、非ライセンス周波数のセルとして同一のPCIを使用する複数のセルのみが示されている図（図２、図１２等）を用いて説明したが、これらの図は一例に過ぎない。すなわち、上述の実施形態では、PCIの競合が発生していない少なくとも１つのセルが非ライセンス周波数において運用されてもよく、UE３及び７は、これら少なくとも１つのセルに対して上述した処理３００、４００、７００、８００、又は９００等を行ってもよい。さらに、上述の実施形態では、非ライセンス周波数において複数の周波数（キャリア又はチャネル）が使用可能であってもよく、UE３及び７は、それら複数の周波数全て、又はLTE-U eNBによって指定された周波数を対象として処理３００、４００、７００、８００、又は９００等を行ってもよい。
【００９７】
例えば、図２に示されたCell #2（PCI #5）及びCell #3（PCI #5）に加えて、これらと異なるPCIを持つCell #4（PCI #6）が存在する場合に、UE３は、非ライセンス周波数（F2）において検出された、(i) Cell #2に対応するPCI #5及びそのフレームタイミング、(ii) Cell #3に対応するPCI #5及びそのフレームタイミング、並びに(iii) Cell #4に対応するPCI #6及びそのフレームタイミングを検出し、これらをLTE-U eNB１に報告してもよい。これに代えて、UE３は、(i) Cell #2に対応するPCI #5及びそのフレームタイミング及び(ii) Cell #3に対応するPCI #5及びそのフレームタイミングをLTE-U eNB１に報告せずに、(iii) Cell #4に対応するPCI #6及びそのフレームタイミングをLTE-U eNB１に報告してもよい。これらの例において、LTE-U eNB１は、UE３からの報告を受信し、PCIの競合が生じているおそれのあるCell #2よりも、PCIの競合が生じていないと推定されるCell #4を優先的にCAのセカンダリセル（SCel）として選択してもよい。
【００９８】
上述の実施形態において説明されたPCIは、セル識別子（物理的な識別子）の一例である。例えば、非ライセンス周波数のセルでは、PCIとは異なる他のセル識別子の競合が発生するかもしれない。いくつかの実装において、非ライセンス周波数のセルの識別子は、Virtual Cell IDであってもよい。Virtual Cell IDは、例えば当該非ライセンス周波数のセルにて参照信号（Reference Signal）の送信などに使用されるスクランブリング・コード識別子（e.g. Scrambling Identity、又は Scrambling Code ID）であってもよい。また、いくつかの実装において、非ライセンス周波数のセルの識別子は、非ライセンス周波数のセルに対して新たにセル番号又はセルインデックスを付与して定義されたPCIとは異なる識別子であってもよい。これらの識別子は、PCIに代えて又は組合せて使用されてもよい。
【００９９】
上述の実施形態では、LAAのケースについて説明した。すなわち、第１〜第４の実施形態では、無線基地局（LTE-U eNB）１及び無線端末（UE）３がライセンス周波数のセルをプライマリセル（PCell）として使用すると共に、非ライセンス周波数のセルをセカンダリセル（SCell）として使用するキャリアグリゲーション（CA）について主に説明した。第５の実施形態では、MeNB４及びSeNB５がライセンス周波数を使用し、SeNB５が更に非ライセンス周波数を使用するDual Connectivity (DC)について主に説明した。しかしながら、第１〜第４の実施形態では、無線基地局（LTE-U eNB）１は、ある共用周波数（例えばF3）をPCellとして使用し、狭義の非ライセンス周波数（例えばF2）又は他の共用周波数（例えばF４）をセカンダリセル（SCell）として使用するキャリアグリゲーション（CA）を行ってもよい。ここで、狭義の非ライセンス周波数は、いずれのオペレータにも割り当てられていない周波数（つまり、ライセンス周波数ではなく且つ共用周波数でもない周波数）を意味する。同様に、第５の実施形態では、Dual Connectivity (DC)のために、MeNB４が共用周波数を使用し、SeNB５が共用周波数又は狭義の非ライセンス周波数を使用してもよい。
【０１００】
さらに、PCIの競合（conflict）は、複数のLTEオペレータが非ライセンス周波数（またはライセンス共用周波数）をLAA又はLSAのために使用する状況だけでなく様々な状況で発生し得る。PCIの競合（conflict）、つまりPCI collision又はPCI confusionは、非ライセンス周波数、ライセンス共用周波数、及びライセンス周波数のいずれを使用する場合にも発生する可能性があり、複数オペレータ間及び１つのオペレータ内のいずれでも発生する可能性がある。上述の実施形態で説明された、同一PCI及び同一周波数を使用する複数のセルをこれらのフレームタイミングとサービングセルのそれとの関係に基づいてUEにおいて区別する技術は、PCIの競合が発生する様々なケースに適用することができる。
【０１０１】
さらにまた、既に述べたように、PCI confusionは、複数のセルが異なる周波数を使用するが、これらが同一のPCIを使用している場合にも発生する可能性がある。上述の実施形態で説明された、同一PCIを使用する複数のセルをこれらのフレームタイミングとサービングセルのそれとの関係に基づいてUEにおいて区別する技術は、異なる周波数を使用する複数のセルの間のPCI confusionが発生するケースに適用することができる。
【０１０２】
また、上述の実施形態では、主にLTEシステムに関して説明を行った。しかしながら、既に述べたように、これらの実施形態は、LTEシステム以外の無線通信システム、例えば、3GPP UMTS、3GPP2 CDMA2000システム（1xRTT, HRPD）、GSM/GPRSシステム、又はWiMAXシステム等に適用されてもよい。尚、非ライセンス周波数におけるLTEの通信を行う機能を有する無線基地局（eNB）及びRRH/RREを無線基地局（LTE-U eNB）と呼んだ。他のシステムでも同様に、複数の周波数（例えば、ライセンス周波数および非ライセンス周波数）において通信を行うことが可能なネットワーク装置の導入が可能であり、それらを総称して無線局と呼ぶことができる。つまり、当該無線局は、LTEでは上述のように無線基地局（eNB）及びRRH/RREに相当し、UMTSでは基地局（NodeB: NB）及び基地局制御局（RNC）に相当し、更にCDMA2000システムでは基地局（BTS）及び基地局制御局（BSC）に相当する。さらに、特にDual Connectivity (DC)の例では、メイン基地局（LTEではMeNB）及びサブ基地局（LTEではSeNB）を含む基地局システムを無線局と呼ぶことができる。メイン基地局及びサブ基地局の各々は、無線通信ノードと呼ぶことができる。
【０１０３】
LTE以外の無線通信システムでは、PCIとは異なる他のセル識別子が使用され（例えば、3GPP UMTSで使用されるPSC）、PCIの競合（conflict）と同様にこれらのセル識別子の競合も発生し得る。上述の実施形態で説明された、同一PCIを使用する複数のセルをこれらのフレームタイミングとサービングセルのそれとの関係に基づいてUEにおいて区別する技術は、PSC等の他のセル識別子の競合が発生する様々なケースに適用することができる。
【０１０４】
また、上述の実施形態において、サービングセル（例えば、図２のCell #1）と、互いに同一のセル識別子及び同一の周波数を使用するよう設定された複数のセル（例えば、図２のCell #2及びCell #3）は、互いに異なるRadio Access Technology (RAT)を使用してもよい。例えば、サービングセルはLTE（E-UTRAN）のセルであってもよく、サービングセルとは異なる複数のセルはUMTS（UTRAN）のセルであってもよい。
【０１０５】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【０１０６】
この出願は、２０１４年１１月６日に出願された日本出願特願２０１４−２２６３９２を基礎とする優先権を主張し、その開示の全てをここに取り込む。
【符号の説明】
【０１０７】
１、４、５  無線基地局
３、７  無線端末
１００１、３００１、  無線トランシーバ
１００２  ネットワークインターフェース
１００３、３００２  プロセッサ
１００４、３００３  メモリ
【図１Ａ】
2019220987.tif 000003
【図１Ｂ】
2019220987.tif 000004
【図２】
2019220987.tif 000005
【図３】
2019220987.tif 000006
【図４】
2019220987.tif 000007
【図５】
2019220987.tif 000008
【図６】
2019220987.tif 000009
【図７】
2019220987.tif 000010
【図８】
2019220987.tif 000011
【図９】
2019220987.tif 000012
【図１０】
2019220987.tif 000013
【図１１】
2019220987.tif 000014
【図１２】
2019220987.tif 000015
【図１３】
2019220987.tif 000016
【図１４】
2019220987.tif 000017
【図１５】
2019220987.tif 000018
【図１６】
2019220987.tif 000019
【図１７】
2019220987.tif 000020
【図１８】
2019220987.tif 000021